(57)【要約】【課題】アスベストの除去とその回収作業に際して空気の特性を充分発揮させることで、作業者への作業負担を可及的に軽減するとともに、アスベストの除去及び回収に必要な構造や設備を簡素化して、効率の良いアスベスト回収装置を提供する。【解決手段】アスベスト除去ヘッド２が高圧空気発生器４からの圧縮空気の供給を受けて、回転ブラシ部１０が回転駆動される。回転ブラシ部１０に設けられる剥離用ブラシ１１で、下地コンクリート部Ｃに施工されているアスベストＡを剥離しアスベスト片ａに破砕する。吸引回収機構３を構成する負圧吸引機６からの負圧がアスベスト吸引ホース７を通じてアスベスト除去ヘッド２に作用しており、アスベスト片ａは、アスベスト除去ヘッド２内を通してアスベスト吸引ホース７に吸引され、アスベスト圧縮回収機８に回収される。【選択図】図１
2008267011.tif 000002
【特許請求の範囲】
【請求項１】
剥離用ブラシを有し空気流れの供給を受けて先端作業面側で駆動される回転ブラシ部と、先端作業面側と反対側に設けられており前記剥離用ブラシで剥離されたアスベストを送出する送出部とを有するアスベスト除去ヘッド、及び前記アスベスト除去ヘッドの前記送出部に接続されて剥離されたアスベストを吸引する吸引機と、吸引されたアスベストを回収する回収機とを有する吸引回収機構を備えたアスベスト回収装置。
【請求項２】
前記アスベスト除去ヘッドの前記回転ブラシ部は前記空気流れの供給を受けて前記ヘッドの縦回転軸回りに横回転駆動される環状ファン部を有する回転シロッコファンを備えており、前記剥離用ブラシは前記回転シロッコファンに対して前記先端作業面側に設けられており、前記送出部は前記環状ファン部の内側に形成されている通路部を通して前記先端作業面側と連通していることから成る請求項１に記載のアスベスト回収装置。
【請求項３】
前記剥離用ブラシは、前記回転シロッコファンの径方向外側から内側に向かって延びる配列上で、前記縦回転軸に平行な方向に立設されていることから成る請求項２に記載のアスベスト回収装置。
【請求項４】
前記配列は前記回転シロッコファンの回転方向に対して凹となる弓状湾曲していることから成る請求項３に記載のアスベスト回収装置。
【請求項５】
前記アスベスト除去ヘッドは前記回転シロッコファンの周囲と基端側とを囲み且つ内部に前記送出部が形成されるケーシングを備えており、前記縦回転軸は前記ケーシングに立設されていることから成る請求項２〜４のいずれか１項に記載のアスベスト回収装置。
【請求項６】
前記剥離用ブラシを駆動する前記空気流れは圧縮空気であり、前記固定ケーシングには前記圧縮空気の導入管が前記固定ケーシングの内部に開口する態様で取り付けられていることから成る請求項５に記載のアスベスト回収装置。
【請求項７】
前記固定ケーシングには、アスベストの飛散を防止するため、前記剥離用ブラシを内側に取り囲む態様で飛散防止スカートが設けられていることから成る請求項５又は６に記載のアスベスト回収装置。
【請求項８】
前記吸引回収機構は、前記吸引機として前記送出部に吸引作用を及ぼす負圧吸引機と、吸引経路に設けられていて吸引されたアスベストを圧縮して回収するアスベスト圧縮回収機とを備えることから成る請求項１〜７のいずれか１項に記載のアスベスト回収装置。
【請求項９】
空気流れの供給を受けて先端作業面側で駆動されるアスベスト除去ヘッドの剥離用ブラシでアスベストを剥離し、剥離されたアスベストを、前記アスベスト除去ヘッドの中央部を通して、前記アスベスト除去ヘッドに繋がる吸引回収機構によって回収することから成るアスベスト回収方法。
【発明の詳細な説明】
【技術分野】
【０００１】
この発明は、例えば、建物の壁や天井に吹き付け施工されているアスベストを施工面から剥離して回収するアスベスト回収方法及び装置に関する。
【背景技術】
【０００２】
アスベスト（石綿）については、労働安全衛生法等により吹付けが原則禁止されるとともに、現在では、青石綿・茶石綿その他の石綿の製造・使用等が禁止され、最近では極一部を除いて全面的な石綿製品の製造・使用等が禁止されている。しかしながら、禁止に至るまでは建築物や輸送機関に使用されてきた。特に建物においては、壁面又は天井における耐火材、断熱材及び防音材等として使用されてきており、アスベストが用いられている建物が現在でも数多く存在している。今後は、特に既存建築物の解体工事が増大することが見込まれている。
【０００３】
このような解体工事等におけるアスベストの取扱についてアスベストの封じ込め等を行うように注意喚起がなされている。従来の建物等の解体工事におけるアスベストの除去、特に吹付アスベストの除去に際しては、アスベスト（或いはダイオキシン類）が飛散することを防止して、作業能率の向上及び作業者の健康面の配慮が図られている。そうした配慮としては、予め飛散防止剤を吹き付けてアスベストを湿潤化しておき、湿潤化されたアスベストをケレン棒等により壁面部分又は天井部分から剥離させ、その剥離されたアスベストを固化した状態で廃棄することが行われている。また、作業者は、アスベストに曝されることなく或いはアスベストを吸い込まないように、アスベスト防護服やマスクを装着して作業することが求められている。
【０００４】
しかしながら、このようなアスベストの除去作業は、建物又は部屋を外部に対して密封した上でケレン棒等を使用してアスベストを破砕・剥離することで実施されている。そのため、作業者の手作業による負担が大きいと共に、作業者の健康面からすればアスベストが飛散する環境内で長時間作業することは回避すべきであり、結果として作業期間が長くなって、作業能率が低いものとなっている。
【０００５】
アスベストの除去に際して、アスベストを湿潤させた後、且つ剥離させる前に、アスベストを冷却して凍結させることで、アスベストを凍結した塊の状態で剥離し、飛散を防止し、アスベストの回収を容易にすることが提案されている。
【特許文献１】特開２００６−３４８７０４号公報
【発明の開示】
【発明が解決しようとする課題】
【０００６】
そこで、アスベストの除去とその回収作業に際して、アスベスト除去の駆動力を得る作動流体として、及び除去されたアスベストを吸い込み回収する流体として、空気の特性を充分発揮させる点で解決すべき課題がある。
【０００７】
この発明の目的は、アスベストの除去とその回収作業に際して空気の特性を充分発揮させることで、作業者への作業負担を可及的に軽減するとともに、アスベストの除去及び回収に必要な構造や設備を簡素化して、効率の良いアスベスト回収装置を提供することである。
【課題を解決するための手段】
【０００８】
上記の課題を解決するため、この発明によるアスベスト回収装置は、剥離用ブラシを有し空気流れの供給を受けて先端作業面側で駆動される回転ブラシ部と、先端作業面側と反対側に設けられており前記剥離用ブラシで剥離されたアスベストを送出する送出部とを有するアスベスト除去ヘッド、及び前記アスベスト除去ヘッドの前記送出部に接続されて剥離されたアスベストを吸引する吸引装置と、吸引されたアスベストを回収する回収装置とを有する吸引回収機構を備えている。
【０００９】
また、この発明によるアスベスト回収方法は、空気流れの供給を受けて先端作業面側で駆動されるアスベスト除去ヘッドの剥離用ブラシでアスベストを剥離し、剥離されたアスベストを、前記アスベスト除去ヘッドの中央部を通して、前記アスベスト除去ヘッドに繋がる吸引回収機構によって回収することから成っている。
【００１０】
このアスベスト回収方法及び装置によれば、アスベスト除去ヘッドをアスベスト施工個所に適用することで、空気流れの供給を受けて先端作業面側で駆動される回転ブラシ部が駆動され、剥離用ブラシが駆動されるときの動きによってアスベストをその施工面から剥離する。剥離用ブラシで剥離されたアスベストは、先端作業面側と反対側に設けられている送出部によってアスベスト除去ヘッドから送出される。アスベスト除去ヘッドの送出部に接続されている吸引回収機構の吸引装置は剥離されたアスベストを吸引し、回収装置は当該吸引装置を通して吸引されたアスベストを回収する。
【発明の効果】
【００１１】
この発明によるアスベスト回収方法及び装置は、上記のように構成されているので、アスベストの除去とその回収作業に際して、作動流体として空気の流れを用いてアスベスト剥離用の駆動力を得ており、剥離されたアスベストを空気の流れを用いて吸引し回収している。しかも、アスベスト除去ヘッドの先端作業面側で駆動される剥離用ブラシでアスベストがその施工面から剥離され、剥離されたアスベストは空気とともに、アスベスト除去ヘッドを通して流れてアスベスト除去ヘッドの先端作業面側と反対側に設けられている送出部から送出される。したがって、アスベストの除去とその回収作業に際して空気の特性を充分発揮させることで、アスベスト除去ヘッドに駆動源として電気モータ等の重量のある装置を用いるのとは異なり、アスベスト除去ヘッドが軽量化されて作業者への作業負担が可及的に軽減するとともに、アスベストの除去及び回収に必要な設備が簡素化して、効率の良いアスベスト除去・回収装置を得ることができる。
【発明を実施するための最良の形態】
【００１２】
以下、添付した図面に基づいて、この発明によるアスベスト回収装置の実施例を説明する。図１はこの発明によるアスベスト回収装置の一実施例を説明する全体概略図、図２は図１に示すアスベスト除去ヘッド２の詳細立面図であり、図３はアスベスト除去ヘッド２の詳細平面図である。
【００１３】
図１に示すアスベスト回収装置１は、天井壁である下地コンクリート部Ｃの表面を施工面として、吹き付け施工されたアスベスト（吹き付けアスベスト）Ａを除去し回収するのに適用された状態を示している。アスベスト回収装置１は、下地コンクリート部ＣからアスベストＡを剥離して除去するアスベスト除去ヘッド２と、アスベスト除去ヘッド２によよって剥離され除去されたアスベストを吸引し回収する吸引回収機構３を備えている。
【００１４】
高圧空気発生器４が発生させた高圧空気は、高圧空気導入ホース５，５を通じてアスベスト除去ヘッド２に供給される。この例では、高圧空気導入ホース５は２本設けられており、アスベスト除去ヘッド２の直径方向に互いに離れた部分で導入されている。アスベスト除去ヘッド２への導入部分は、周方向に等間隔に並べばよく、２個所に限られない。また高圧空気導入ホース５，５は、別々にアスベスト除去ヘッド２に接続させることもなく、途中まで束ねて、或いは図示しないがアスベスト除去ヘッド２から延びてアスベスト除去ヘッド２を操作する操作稈に沿わせて配置することもできる。
【００１５】
アスベスト除去ヘッド２には、負圧吸引機６が発生させる負圧がアスベスト吸引ホース７を通じて作用する。負圧吸引機６には、アスベスト吸引ホース７との間においてアスベスト圧縮回収機８が接続されている。アスベスト圧縮回収機８は、アスベスト吸引ホース７を通じて吸引されるアスベスト片ａをフィルタによって捉え、アスベスト片ａはフィルタのところで圧縮された状態でコンパクトに回収される。負圧吸引機６とアスベスト圧縮回収機８とは本発明における吸引回収機構３を構成している。
【００１６】
図２及び図３に示すように、アスベスト除去ヘッド２は、剥離用ブラシ１１を有しており空気流れの供給を受けて先端作業面側で駆動される回転ブラシ部１０と、先端作業面側と反対側に設けられており剥離用ブラシ１１で剥離されたアスベストを送出する送出部１２とを有している。回転ブラシ部１０はその周囲がケーシング１３の上半分で囲まれており、送出部１２はケーシング１３の下半分内に形成されている。アスベスト吸引ホース７は、送出部１２に連通するように、ケーシング１３の基端部（最深部）において接続されている。
【００１７】
アスベスト除去ヘッド２の回転ブラシ部１０は、高圧空気導入ホース５，５からの空気流れの供給を接線方向に受けてヘッド２内で横回転駆動される回転シロッコファン１４を有している。回転シロッコファン１４は、縦回転軸１６と、縦回転軸１６から径方向に延びる複数本のステー１５を介して縦回転軸１６を中心として支持された環状ファン部１７とを有している。軸固定用筒部２２がケーシング１３に対して十字状に配設したステー２３を介して回転シロッコファン１４の中心位置で支持されている。回転シロッコファン１４は、縦回転軸１６と環状ファン部１７をそれぞれ、軸固定用筒部２２内とケーシング１３の内部に対して上から落とし込んで収容させ、縦回転軸１６を軸固定用筒部２２に対して抜け出さないように止めピン１８によって固定することで、ケーシング１３内に組み付けることができる。環状ファン部１７の内側は、剥離したアスベストを送出部に送って吸引するために、通路部１９となっている。即ち、通路部１９は回転シロッコファン１４を貫通する形態で形成されている。アスベスト除去ヘッド２の送出部１２は、環状ファン部１７の内側に形成されている通路部１９を通して前記先端作業面側と連通している。ステー２３は、回転シロッコファン１４の送出部１２側に十字状に設けられているが、通路部１９の通路面積を減らさないような形状、配置とされている。なお、回転シロッコファン１４は、例えば直径２０ｃｍ程度の大きさとすることができる。
【００１８】
回転シロッコファン１４の先端作業面側には、剥離用ブラシ１１が縦回転軸１６と平行な方向に延びるように立設されている。剥離用ブラシ１１は、特に図３に示すように、回転シロッコファン１４の径方向外側から内側に向かって延びる弓形アーム２０の配列に従って配置されている。各剥離用ブラシ１１は、ワイヤ又はその束として、弓形アーム２０上の所定間隔を置いた位置に、縦回転軸１６と平行な方向に並んで立設されている。弓形アーム２０は複数本が周方向に略等間隔に配置されているのが好ましい。弓形アーム２０の湾曲の方向は、回転シロッコファン１４の回転方向に対して凹となる方向とされている。この湾曲配列によって、剥離用ブラシ１１で剥離されたアスベスト片に対して、回転シロッコファン１４の径方向内側に寄せ集める作用が与えられる。径方向内側に寄せ集められたアスベスト片は、通路部１９を通じて送出部１２に吸引される。
【００１９】
ケーシング１３の端部には、アスベストの飛散を防止するため、剥離用ブラシ１１を内側に取り囲む態様で飛散防止スカート２１が設けられている。飛散防止スカート２１は、ゴム等の柔軟性のある材質によって形成されている。
【００２０】
アスベスト除去ヘッド２のケーシング１３には、直径方向に対向した２カ所に高圧空気導入ホース５，５がケーシング１３の外部から内部へと接線方向に開口する態様で取り付けられており、ここから圧縮エアが回転シロッコファン１４に吹き付けられる。エアの吹き付けにより、回転シロッコファン１４が高速回転し、それに伴って回転シロッコファン１４に固定されている剥離用ブラシ１１も高速回転する。下地コンクリート部Ｃ吹き付け施工されたアスベストＡは、剥離用ブラシ１１の回転によりアスベスト片ａ（図１）に破砕されて掻き剥がされる。
【００２１】
高圧空気導入ホース５，５からの一次空気ａｉｒ１としての空気吹出し量よりも、アスベスト吸引ホース７を通じての空気吸込み量は多くなるように設定されている。また、飛散防止スカート２１が剥離部の周囲を覆っている。したがって、外部から飛散防止スカート２１と天井との間に形成される隙間及び回転シロッコファン１４を通して、二次空気ａｉｒ２がアスベスト除去ヘッド２内に取り込まれる。アスベスト吸引ホース７を通じての空気吸込み量は一次空気ａｉｒ１と二次空気ａｉｒ２との合計となる。したがって、剥離用ブラシ１１の回転により掻き落とされたアスベスト片ａは、アスベスト除去ヘッド２の周囲に飛散することなく、通路部１９、送出部１２、アスベスト吸引ホース７を通じて除去される。この際、アスベスト片を含む空気の流れは真っ直ぐに直接にアスベスト吸引ホース７に吸い込まれていくので、吸引効率が高くなり、また、アスベスト除去ヘッドの構造も簡素化が進められる。
【００２２】
吸引されたアスベストを圧縮して回収するアスベスト圧縮回収機８は、１段目プレフィルタ９ａを備えた回収ボックスであり、アスベストを０．３μｍ以上  ９９．９７％（事実上の１００％）回収後、３分の１に圧縮される。アスベスト圧縮回収機８で所定の量のアスベストを回収した場合には、袋の包装体Ｐとして取り出してそのまま廃棄処分される。負圧吸引機６には、アスベスト圧縮回収機８の１段目プレフィルタ９ａを通して吸引された空気を更に濾過する二段目プレフィルタ９ｂを備えており、吸い込み空気を一段目及び二段目のプレフィルタ９ａ，９ｂで二段階に濾過することでアスベスト粉の外部への漏れ防止を図っている。
【図面の簡単な説明】
【００２３】
【図１】この発明によるアスベスト回収装置の一実施例を説明する全体概略図である。
【図２】図１に示すアスベスト除去ヘッド２の詳細立面図である。
【図３】図１に示すアスベスト除去ヘッド２の詳細平面図である。
【符号の説明】
【００２４】
１  アスベスト回収装置            ２  アスベスト除去ヘッド
３  吸引回収機構                  ４  高圧空気発生器
５  高圧空気導入ホース            ６  負圧吸引機
７  アスベスト吸引ホース          ８  アスベスト圧縮回収機
１０  回転ブラシ部                １１  剥離用ブラシ
１２  送出部                      １３  ケーシング
１４  回転シロッコファン          １５  ステー
１６  縦回転軸                    １７  環状ファン部
１８  止めピン                    １９  通路部
２０  アーム                      ２１  飛散防止スカート
２２  軸固定用筒部                ２３  ステー        
Ｃ  下地コンクリート部            Ａ  アスベスト
【図１】
2008267011.tif 000003
【図２】
2008267011.tif 000004
【図３】
2008267011.tif 000005